(57)【要約】【課題】浸水防止用のウォーターフェンスを提供せんとする。【解決手段】内部に複数の水嚢を積層して収容できる空間を空けて対置させる所定長さを有する一対のプレート状のガード板部（２Ａ、２Ｂ）と、この各ガード板部の端部同士を連結させる連結手段（２４、２５、２８）とから成り、前記各ガード板部は、それぞれ保持板部（２１）と、この各保持板部の下部に設けた脚部（２６）と、この脚部を地上へ固定させる固定手段とで構成し、前記連結手段は、前記各ガード板部の各端部に設けたフランジ部（２４ａ）と、このフランジ部を連結する連結部材（２４ｂ）とで構成したことを特徴とする、ウォーターフェンスによって解決し得る。【選択図】図１
2015148125.tif 000002
【特許請求の範囲】
【請求項１】
内部に複数の水嚢を積層して収容できる空間を空けて対置させる所定長さを有する一対のプレート状のガード板部と、この各ガード板部の端部同士を連結させる連結手段とから成り、前記各ガード板部は、それぞれ保持板部と、この各保持板部の下部に設けた脚部と、この脚部を地上へ固定させる固定手段とで構成し、前記連結手段は、前記各ガード板部の各端部に設けたフランジ部と、このフランジ部を連結する連結部材とで構成したことを特徴とする、ウォーターフェンス。
【請求項２】
前記ガード板部の前記保持板部が平面状であることを特徴とする請求項１に記載の、ウォーターフェンス。
【請求項３】
前記ガード板部の前記保持板部の少なくとも一部を湾曲させたことを特徴とする請求項１に記載の、ウォーターフェンス。
【請求項４】
前記脚部が、前記保持板部の下辺から外面側へ向けて張り出すように設けられたことを特徴とする請求項１ないし３のいずれか１項に記載の、ウォーターフェンス。
【請求項５】
前記ガード板部の全体が１枚の金属板又は合成樹脂板から形成されたことを特徴とする請求項１ないし４のいずれか１項に記載の、ウォーターフェンス。
【請求項６】
前記連結手段の前記連結部材が、互いに隣接する前記ガード板部の各端部に設けられた前記フランジ部同士を挟持、固定する軸直角断面が略Ｕ字型又は略Ｃ字型の部材であることを特徴とする請求項１ないし５のいずれか１項に記載の、ウォーターフェンス。
【請求項７】
前記ガード板部に設けられる前記固定手段が、前記脚部の下端に設けられ、打込み杭によって地面に固定される接地固定部であることを特徴とする請求項１ないし６のいずれか１項に記載の、ウォーターフェンス。
【請求項８】
前記ガード板部に設けられる前記固定手段が、前記脚部の下端部に設けられるところの係止部であって、対置されたもう一方のガード板部の脚部の下端部との間に、これら両下端部間の最大間隔を規制するよう掛け渡される脚部保持枠を係止する係止部であることを特徴とする請求項１ないし６のいずれか１項に記載の、ウォーターフェンス。
【請求項９】
前記ガード板部の保持板部の上端部と、対置されたもう一方のガード板部の保持板部の上端部との間隔が、両者間に掛け渡すよう設けられた上部保持枠により一定に保持されたことを特徴とする請求項１ないし８のいずれか１項に記載の、ウォーターフェンス。
【発明の詳細な説明】
【技術分野】
【０００１】
本発明は、浸水防止用のウォーターフェンスに関し、より具体的には、設置時の安定性に優れ、高い堰を構築可能で、風雨等の悪条件下での設置作業も容易で、一旦設置後も高さの嵩上げが可能であり、製造コストも安く済むウォーターフェンスに関する。
【背景技術】
【０００２】
近年、異常気象が指摘され、大型の台風や風水害に見舞われる現象が多発している。
水害は、台風や風雨が過ぎ去った後も比較的長期に亘って浸水状態が続き、家屋、家財の被害のみならず、日常生活も阻害されるため、当初から浸水を防ぐことが肝要となる。
浸水防止のためには、従来より一般的に土嚢が用いられているが、袋に詰める土の確保、袋詰め作業、被災現場への搬送作業など困難を伴うことが多いため、近年は土嚢に代えて水嚢の利用も進められている。
水嚢であると、被災現場でポンプを用いて水嚢内への水の注入を行い、それらの水嚢を多数並べ、積み上げて、ウォーターフェンスを築造することが可能であり、水害解消時には水嚢内の水を排出して、袋の回収、搬出、保管を行えば済むという利便性、経済性が得られる。しかしながら、水嚢は内容物が水であるため、その比重は殆ど水と同一であり、外部全体が水に浸されると水嚢に作用する重力と浮力が略均衡し、安定した設置状態が維持できなくなる。そこで、安定したウォーターフェンスを構築するには、地面上で水嚢を一定位置に保持する手段が必要となる。
【０００３】
そのようなウォーターフェンスに関しては、例えば下記特許文献１〜３に記載のようなものが公知である。
特許文献１には、路盤に固定されたヒレ部に取り付けた線状の鋼材と、この鋼材を挿通したカバーとによって、水嚢の外周を所定間隔おきに拘束、保持したり、内部に隔壁を有する多室構造の水嚢自体の底辺を固定ヒレにより地面に固定すると共に、当該水嚢自体の両端を連結手段で連結することにより左右に延長接続したり、或いはまた、複数の水嚢をまとめてシートで覆ったりするウォーターフェンスが開示されている。しかしながら、前記鋼材等は横幅が短く、シートはそれ自体が柔軟な材質であるため、多数の水嚢を積み上げて支持するには充分な安定性が得られず、高いフェンスを構築することは困難であった。また、フェンスを一旦設置した後に、浸水が更に進行し、水位が上昇してフェンスの高さの嵩上げが必要となった場合に、前記鋼線等を取り外して更に水嚢を追加する作業は実際的には困難であった。
また、特許文献２には、堤防の頂面に取り付けた鋼製又は合成繊維製のロープ或いはバンド状の可撓性連結材によって、水嚢の外周を所定間隔おきに拘束、保持するようにした水防構造が開示されている。しかしながら、この特許文献２に記載の水防構造も、個々の可撓性連結材は幅の狭い部材であるため、水嚢を積み上げて支持するには充分な安定性が得られず、また、高いフェンスを構築したり、一旦設置後に高さの嵩上げを行ったりすることは困難であった。
特許文献３には、断面が多角形のフレキシブルな材料で作られた水袋と、折り畳み可能な形状維持板とを一体的に固定した冠水防止用水袋が開示されている。しかしながら、特許文献３に記載されたような構造物を水漏れのない状態のものとして製造するには手間がかかり、コスト高になるという問題があり、また、そのような構造物を一旦設置後に、その高さの嵩上げをすることは不可能であった。
【先行技術文献】
【特許文献】
【０００４】
【特許文献１】特許第４０６０７０４号公報
【特許文献２】特開昭６４−２１１１１号公報
【特許文献３】実開昭６２−１５９５２８号公報
【発明の概要】
【発明が解決しようとする課題】
【０００５】
本発明は、上記の如き問題点を解決するためなされたものであり、その目的とするところは、設置時の安定性に優れ、高く長い堰の構築が可能で、風雨等の悪条件下での設置作業も容易であり、一旦設置後であっても高さの嵩上げが可能であり、製造コストも安く済むウォーターフェンスを提供せんとするにある。
【課題を解決するための手段】
【０００６】
上記課題を解決するため、本発明に係るウォーターフェンスは、内部に複数の水嚢を積層して収容できる空間を空けて対置させる所定長さを有する一対のプレート状のガード板部と、この各ガード板部の端部同士を連結させる連結手段とから成り、前記各ガード板部は、それぞれ保持板部と、この各保持板部の下部に設けた脚部と、この脚部を地上へ固定させる固定手段とで構成し、前記連結手段は、前記各ガード板部の各端部に設けたフランジ部と、このフランジ部を連結する連結部材とで構成したことを特徴とする。
【０００７】
前記ガード板部の前記保持板部は平面状である場合のほか、必要に応じて、保持板部の少なくとも一部を湾曲させることも可能である。
【０００８】
望ましい実施例においては、前記脚部が、前記保持板部の下辺から外面側へ向けて張り出すように設けられる。
尚、本明細書及び特許請求の範囲の記載において、ガード板部もしくは保持板部の「外面」とは、水嚢に接する面（内面）と反対側の面を指すものである。
【０００９】
前記ガード板部の全体を１枚の金属板又は合成樹脂板（望ましくは、繊維強化プラスチック［ＦＲＰ］によるもの等）で形成することも推奨される。
【００１０】
望ましい実施例においては、前記連結手段の前記連結部材が、互いに隣接する前記ガード板部の各端部に設けられた前記フランジ部同士を挟持、固定する軸直角断面が略Ｕ字型又は略Ｃ字型の部材として構成される。
ただし、本発明における前記連結部材はこれに限定されるものではない。
【００１１】
前記ガード板部に設けられる前記固定手段は、前記脚部の下端に設けられ、打込み杭によって地面に固定される接地固定部として構成したり、或いはまた、前記脚部の下端部に設けられるところの係止部であって、対置されたもう一方のガード板部の脚部の下端部との間に、これら両下端部間の最大間隔を規制するよう掛け渡される脚部保持枠を係止する係止部として構成することが可能である。
ただし、本発明における前記固定手段はこれに限定されるものではない。
【００１２】
また、本発明の望ましい実施例においては、前記ガード板部の保持板部の上端部と、対置されたもう一方のガード板部の保持板部の上端部との間隔が、両者間に掛け渡すよう設けられた上部保持枠により一定に保持されるよう構成される。
【発明の効果】
【００１３】
本発明は、上記の如き構成を有し、前記プレート状のガード板部の保持板部によって水嚢の側方が支持され、この保持板部の下辺に設けた脚部は、打込み杭等によって地面の一定位置に保持されるため、多数の水嚢を横方向にも高さ方向にも崩れることなく安定して配置し、積み重ねることが可能となり、したがって本発明によるときは、設置時の安定性に優れ、高い堰の構築が可能なウォーターフェンスを提供し得るものである。
【００１４】
また、本発明のウォーターフェンスの設置時には、前記ガード板部を所定間隔を隔てて互いに対向するように配置、固定し、これらのガード板部の間に多数の水嚢を順次積み上げたり、或いはまた、既に幾つか積み重ねた水嚢の側方を押さえるように前記ガード板部を設置し、必要に応じて、更にその上に水嚢を積み上げてゆくことが可能であり、一旦設置後であってもガード板部の高さの範囲内で水嚢を更に追加して積み重ねることにより、浸水の進行状況に応じて高さの嵩上げが可能である。
【００１５】
更にまた、前記ガード板部の横方向への連結手段として、前記の如く、連結すべきガード板部の端部に設けたフランジ部と、これらを挟持し固定する連結部材を設けたことによって、ガード板部の連結作業も容易となり、したがって本発明によるときは、風雨等の悪条件下での設置作業が容易化される。また、前記連結手段を利用して、所望の数のガード板部を横方向に多数連続させて配置することが可能であるため、長距離、広範囲の水防対策に利用できる。
【００１６】
更にまた、本発明のウォーターフェンスのガード板部は、１枚の金属板又は合成樹脂板（望ましくは、繊維強化プラスチック［ＦＲＰ］によるもの等）で形成することも可能であるので、製造コストを低く抑えることが可能である。
【図面の簡単な説明】
【００１７】
【図１】本発明に係るウォーターフェンスの一実施例の外観斜視図である。
【図２】図１中のＭ−Ｍ線に沿った断面図である。
【図３】民家敷地内への浸水を防止するため、図１に示したような本発明に係るウォーターフェンスを多数設置した状態を示す上面図である。
【図４】図１に示したウォーターフェンスにおけるガード板部の一実施例を示す正面図である。
【図５】図４に示したガード板部の側面図である。
【図６】ウォーターフェンス設置時にコーナー部に用いられるガード板部の一実施例を示す正面図である。
【図７】図６に示したガード板部の側面図である。
【図８】コーナー部に用いられるガード板部のもう１つの実施例を示す正面図である。
【図９】図８に示したガード板部の側面図である。
【図１０】本発明に係るウォーターフェンスのもう一つの実施例についての図２と同様の断面図である。
【図１１】本発明に係るウォーターフェンスのガード板部の連結手段の別の実施例を示す斜視図である。
【発明を実施するための形態】
【００１８】
以下、図面を参照しつつ本発明のウォーターフェンスのガード板部及びこれを用いたウォーターフェンスの好適な実施例について説明する。
【実施例】
【００１９】
図１、図２に示した実施例に係る本発明のウォーターフェンス１０１は、それぞれ水を充満させた水嚢１Ａ〜１Ｅ等を所定数積層し、それらの水嚢を側方から支持する一対のガード板部２Ａ、２Ｂにより構成されている。このウォーターフェンス１０１の右横には、同様のウォーターフェンス１０２が隣接して設置され、ウォーターフェンス１０１の前記一対のガード板部２Ａと２Ｂは、隣接するウォーターフェンス１０２の一対のガード板部２Ｃと２Ｄにそれぞれ連結されるようになっている。
【００２０】
これらのウォーターフェンス１０１、１０２は、例えば図３に示すように、民家Ｃの敷地Ｄ内への浸水を防止するために、本発明に係る多数のウォーターフェンスを、この敷地Ｄを囲繞するように設置した場合におけるその一部を取り出して示したものである。
図３に示すように配置された多数のウォーターフェンスのうち、４箇所のコーナー部のウォーターフェンス（そのうち、左下の１つを指示記号１０３で示す。）以外のものは、いずれも前記ウォーターフェンス１０１と同様の構成を有している。尚、コーナー部のウォーターフェンス１０３のガード板部３Ａ、３Ｂについては、後で図６〜図９を参照しつつ説明する。
【００２１】
尚、図１〜図３に示した設置形態では、積み上げた水嚢１Ａ〜１Ｄ等の両側をガード板部２Ａ、２Ｂ等で支持するようにしてある。しかしながら、状況に応じて各種各様の変則的な設置形態が可能である。例えば、浸水防止機能のない既存の壁や塀があるときは、それらの壁や塀に沿って水嚢を並べることにより、水嚢の片側はそれらの壁や塀で支持するようにし、もう片方にだけガード板部を設置して水嚢を支持するようにしてもよい。
【００２２】
水嚢１Ａ〜１Ｅとしては、各種公知のもので、さまざまな材質、サイズ、容量のものが使用できる。
水嚢１Ａ〜１Ｅは、基本的に柔軟で強靱な非透水性の材料（例えば、補強布入りのナイロンシートやポリエチレンシート、ゴム等）で作製された袋体に、しっかりと封止可能な栓や弁付きの給水口及び排水口（又は両方を兼ねたもの）を備えたものが用いられる。
水嚢１Ａ〜１Ｅの形状、サイズ、容量も各種各様のものが使用可能であり、例えば図１、図３に示したもののように、平面図において略正方形のもののほか、長方形、その他の多角形、半円形、等々、任意の形状のものが可能である。サイズも、図１に示した例では、ガード板部２Ａの横幅Ｗ１は、後記の如く、例えば９００ｍｍ程度に設定されるので、その場合、略正方形の水嚢１Ａ〜１Ｄの横幅は４５０ｍｍ程度のものである。しかしながら、取扱いに不便でない範囲で、それ以上のサイズとすることは自由であり、また、大きな水嚢間の隙間を埋めるための小半径の棒状若しくは球形等の小サイズの水嚢を用意しておくことも可能である。
【００２３】
また、水嚢の積み方も、状況に応じて様々な形態が可能であり、図１〜図３に示したように同一形状、同一サイズのものを単に上下方向に積み重ねるだけでなく、一段ごとに交互に横方向にずらして積み上げたり、複数本の長方形の水嚢を横向きに並べる段と、縦向きに並べる段とを交互に繰り返したり、等々が可能である。
したがってまた、図２に示したガード板部２Ａ、２Ｂ間の距離Ｎも、使用する水嚢のサイズ、積み重ね方、等に応じて、例えば１００ｍｍ〜１０００ｍｍ等、任意の範囲で変更し得るものである。
ガード板部２Ａ、２Ｂの高さＨ１は、これらの水嚢を多段に積み重ねた状態でそれらが崩れないように支持できる範囲内において、設置箇所で予想される浸水高さをカバーし得るものを使用するようにする。
【００２４】
以下、図１、図２に示したウォーターフェンス１０１のプレート状のガード板部２Ａの具体的な構成について、図１、２及び図４、５を参照しつつ説明する。
ガード板部２Ａは、保持板部２１を有し、その上辺領域は外側へ折り返されて折返し部２１ａを形成し、下辺領域も外側へ折り曲げられて、脚部２６を形成する。これらの折返し部２１ａと脚部２６によって、ガード板部２Ａの横方向の曲げに対する強度が増大される。
前記ガード板部２Ａの右側の端部２２には、隣接する同様のガード板部２Ｃとの連結手段２４が設けられる。同様に、ガード板部２Ａの左側の端部２３には連結手段２５が設けられ、ガード板部２Ｂの両端にもそれぞれ連結手段２８、２９が設けられるが、これらの連結手段２５、２８、２９の構成は、以下に述べる連結手段２４の構成と同様であるため、連結手段２４についてのみ説明し、他の連結手段２５、２８、２９の説明は省略する。
【００２５】
前記連結手段２４は、その望ましい一実施例を図１に示す如く、ガード板部２Ａの保持板部２１の右側の端部２２から外面側へ向けて突出するフランジ部２４ａと、隣接する同様のガード板部２Ｃに設けた同様のフランジ部２４ｇとガード板部２Ａの前記フランジ部２４ａとを挟持し固定する軸直角断面が略Ｕ字型の連結部材２４ｂと、から構成されるようになっている。尚、前記の如く、ガード板部の「外面」とは、ガード板部が水嚢１Ａ〜１Ｅ等に接する面（内面）とは反対側の面を指すものである。
【００２６】
図１に示す如く、ガード板部２Ａのフランジ部２４ａにはボルト孔２４ａ−１、２４ａ−２が明けられ、隣接するガード板部２Ｃのフランジ部２４ｇにはボルト孔２４ｇ−１、２４ｇ−２が明けられ、更に、連結部材２４ｂにはボルト孔２４ｂ−１、２４ｂ−２、２４ｂ−３、２４ｂ−４が明けられ、これらのボルト孔にボルト２４ｃ、２４ｅを挿通し、ナット２４ｄ、２４ｆで締めることにより、前記フランジ部２４ａと２４ｇを連結部材２４ｂで挟持し固定するようになっている。
尚、連結部材２４ｂを用いることなく、フランジ部２４ａと２４ｇをボルトとナットで直接固定してもよいが、連結部材２４ｂを用いることにより、ガード板部２Ａと２Ｃを一層堅固に連結でき、内部に積み上げられる水嚢１Ａ〜１Ｅ等による側方への水圧に対する耐久性を向上させることが可能となる。
【００２７】
本発明の望ましい実施例においては、前記ガード板部２Ａがその下辺に脚部２６を有し、この脚部が前記ガード板部の保持板部２１から外面側へ向けて張り出すように設けられる。
即ち、ガード板部２Ａの保持板部２１の下部領域は、保持板部２１から外面側へ向けて張り出すように折り曲げられた張出し部２６ａを形成し、更にその下端領域が折り曲げられて、地面に固定される接地固定部２６ｂを形成するようになっている。
このような脚部２６を設けることにより、前記の如くガード板部２Ａの横方向の曲げ等に対する強度が増大されると共に、ガード板部２Ａの安定性が確保でき、その設置作業も容易となる。
前記脚部２６を地上へ固定させる固定手段として、前記接地固定部２６ｂを設け、この接地固定部２６ｂを図１、図２に示す如く、設置時に地面に打ち込んだ打込み杭２７、２７によって固定することにより、設置期間中におけるズレを防止するようにする。
【００２８】
尚、これらのガード板部２Ａ〜２Ｄは、切断された複数の金属板等を溶接等して作製することも可能であるが、その製造工程を簡易化し、コストダウンを図るため、所定形状にカットした１枚の金属板や合成樹脂板をプレス加工等により折り曲げて作製したり、或いは成形型を用いて１枚の合成樹脂板（望ましくは、繊維強化プラスチック板等）として作製することも推奨される。
【００２９】
本発明に係るウォーターフェンスの上記ガード板部２Ａ〜２Ｄの各部の寸法は、さまざまな使用場所や浸水条件に対応できるよう各種各様のものを用意することが望ましいが、例えば図１に示した実施例のガード板部２Ａ、２Ｂ（図５も併せて参照）における好適な一例として、高さＨ１＝６７０ｍｍ、Ｈ２＝５２０ｍｍ、Ｈ３＝１５０ｍｍ、横方向の幅Ｗ１＝９００ｍｍとし、その脚部２６は、Ｓ１＝１８０ｍｍ、Ｓ２＝６０ｍｍ、Ｓ３＝３０ｍｍ、Ｓ４＝１５０ｍｍとし、フランジ部２５ａの幅Ｓ５＝３０ｍｍ、折返し部２１ａの幅Ｓ６＝３０ｍｍとすることができる。
【００３０】
これまでに説明したウォーターフェンス１０１、１０２のガード板部２Ａ〜２Ｄにおいて、その保持板部２１は、いずれも平面状であったが、次に、図３に示す設置例におけるコーナー部のウォーターフェンス１０３の湾曲型のガード板部３Ａ及び３Ｂについて説明する。この場合のウォーターフェンス１０３は、水嚢１Ｆ、１Ｇ、１Ｈ等を、湾曲型のガード板部３Ａ及び３Ｂによって支持するようになっている。
【００３１】
図６及び図７には、これらの湾曲型のガード板部３Ａ、３Ｂのうち、コーナー部の外側に設置されるガード板部３Ａの正面図及び上面図が示してある。このガード板部３Ａも、保持板部３１を有し、この保持板部３１は、図７に示すように、両側の平面部３１ａ、３１ｂと、中間の湾曲部３１ｃとに分けられる。湾曲部３１ｃは、平面部３１ａと３１ｂとが９０°をなすように曲げられる。平面部３１ａと３１ｂの上辺領域は外側（ガード板部３Ａが水嚢１Ｆ〜１Ｈに接する側とは反対側）へ折り返されて折返し部３１ｄ、３１ｅを形成し、下辺領域も外側へ折り曲げられて、脚部３６、３７を形成する。
ガード板部３Ａの一方の端部３２には、隣接する同様のガード板部との連結手段３４が設けられ、同様に、ガード板部３Ａのもう一方の端部３３にも連結手段３５が設けられる。これらの連結手段３４、３５の構成は、図１に示した実施例における前記連結手段２４の構成と同様であるため、それらの詳しい説明は省略するが、要約すれば、ガード板部３Ａの保持板部３１の一方の端部３２からは、その外面側へ向けてフランジ部３４ａが突出し、前記軸直角断面が略Ｕ字型の連結部材２４ｂと同様の連結部材によって、隣接する同様のガード板部に設けた同様のフランジ部と連結し、もう一方の端部３３から外面側へ向けて突出するフランジ部３５ａについても同様に、前記連結部材２４ｂと同様の連結部材によって、ボルト孔３５ａ−１、３５ａ−２を利用して、隣接する同様のフランジ部と連結するようになっている。
【００３２】
図６及び図７に示すガード板部３Ａも、その下辺に脚部３６、３７を有し、これらの脚部が保持板部３１の前記平面部３１ａ、３１ｂからそれぞれ外面側へ向けて張り出すように設けられる。即ち、ガード板部３Ａの保持板部３１の平面部３１ａ、３１ｂの下部領域は、それぞれ平面部３１ａ、３１ｂから外面側へ向けて張り出すように折り曲げられた張出し部３６ａ、３７ａを形成し、更にその下端領域が折り曲げられて、地面に固定される接地固定部３６ｂ、３７ｂを形成するようになっている。
このような脚部３６、３７を設けることにより、ガード板部３Ａの安定性が確保でき、その設置作業も容易となる。
ガード板部３Ａの前記接地固定部３６ｂ、３７ｂは、図１、図２に示した実施例の場合と同様に、設置時に地面に打ち込んだ打込み杭によって固定し、設置期間中におけるズレを防止するようにする。
【００３３】
上記ガード板部３Ａの各部の寸法は、さまざまな使用場所や浸水条件に対応できるよう各種各様のものを用意することが望ましいが、例えば図６、図７に示した実施例のガード板部３Ａにおいて、Ｈ１＝６７０ｍｍ、Ｈ２＝５２０ｍｍ、Ｈ３＝１５０ｍｍ、Ｗ２＝３５０ｍｍ、Ｓ１＝１８０ｍｍ、Ｓ２＝６０ｍｍ、Ｓ３＝３０ｍｍ、Ｓ４＝１５０ｍｍ、Ｓ５＝３０ｍｍ、Ｓ６＝３０ｍｍ、湾曲部３１ｃ（図７参照）の曲率半径ｒ１＝１００ｍｍである。
尚、図示した実施例の場合、図３に示すような設置形態に対応できるように、湾曲部３１ｃは、平面部３１ａと３１ｂとが９０°をなすように湾曲させたが、他の設置形態に対応するように、平面部３１ａと３１ｂとが例えば６０°や１２０°等をなすように湾曲させることも可能である。
【００３４】
図８及び図９には、図３に示すウォーターフェンス１０３の湾曲型のガード板部３Ａ、３Ｂのうち、コーナー部の内側に設置されるガード板部３Ｂの正面図及び上面図が示してある。このガード板部３Ｂも、保持板部４１を有し、この保持板部４１は、図９に示すように、両側の平面部４１ａ、４１ｂと、中間の湾曲部４１ｃとに分けられる。湾曲部４１ｃは、平面部４１ａと４１ｂとが９０°をなすように曲げられる。平面部４１ａと４１ｂの上辺領域は外側（ガード板部３Ｂが水嚢１Ｆ〜１Ｈに接する側とは反対側）へ折り返されて折返し部４１ｄ、４１ｅを形成し、下辺領域も外側へ折り曲げられて、脚部４６、４７を形成する。
ガード板部３Ｂの一方の端部４２には、隣接する同様のガード板部との連結手段４４が設けられ、同様に、ガード板部３Ｂのもう一方の端部４３にも連結手段４５が設けられる。これらの連結手段４４、４５の構成は、図１に示した実施例における前記連結手段２４の構成と同様であるため、それらの詳しい説明は省略するが、要約すれば、ガード板部３Ｂの保持板部４１の一方の端部４２からは、その外面側へ向けてフランジ部４４ａが突出し、前記軸直角断面が略Ｕ字型の連結部材２４ｂと同様の連結部材によって、隣接する同様のガード板部に設けた同様のフランジ部と連結し、もう一方の端部４３から外面側へ向けて突出するフランジ部４５ａについても同様に、前記連結部材２４ｂと同様の連結部材によって、隣接する同様のフランジ部と連結するようになっている。
【００３５】
図８及び図９に示すガード板部３Ｂも、その下辺に脚部４６、４７を有し、これらの脚部が保持板部４１の前記平面部４１ａ、４１ｂからそれぞれ外面側へ向けて張り出すように設けられる。即ち、ガード板部３Ｂの保持板部４１の平面部４１ａ、４１ｂの下部領域は、それぞれ平面部４１ａ、４１ｂから外面側へ向けて張り出すように折り曲げられた張出し部４６ａ、４７ａを形成し、更にその下端領域が折り曲げられて、地面に固定される接地固定部４６ｂ、４７ｂを形成するようになっている。
このような脚部４６、４７を設けることにより、ガード板部３Ｂの安定性が確保でき、その設置作業も容易となる。
ガード板部３Ｂの前記接地固定部４６ｂ、４７ｂは、図１、図２に示した実施例の場合と同様に、設置時に地面に打ち込んだ打込み杭によって固定し、設置期間中におけるズレを防止するようにする。
【００３６】
上記ガード板部３Ｂの各部の寸法は、さまざまな使用場所や浸水条件に対応できるよう各種各様のものを用意することが望ましいが、例えば図８、図９に示した実施例のガード板部３Ｂにおいて、Ｈ１＝６７０ｍｍ、Ｈ２＝５２０ｍｍ、Ｈ３＝１５０ｍｍ、Ｗ３＝１５０ｍｍ、Ｗ４＝１００ｍｍ、Ｓ１＝１８０ｍｍ、Ｓ２＝６０ｍｍ、Ｓ３＝３０ｍｍ、Ｓ４＝１５０ｍｍ、湾曲部４１ｃ（図９参照）の曲率半径ｒ２＝９０ｍｍである。
尚、図示した実施例の場合、図３に示すような設置形態に対応できるように、湾曲部４１ｃは、平面部４１ａと４１ｂとが９０°をなすように湾曲させたが、他の設置形態に対応するように、平面部４１ａと４１ｂとが例えば６０°や１２０°等をなすように湾曲させることも可能である。
【００３７】
これらのガード板部３Ａ、３Ｂについても、その製造工程を簡易化し、コストダウンを図るため、所定形状にカットした１枚の金属板や合成樹脂板をプレス加工等により折り曲げて作製したり、或いは成形型を用いて１枚の合成樹脂板（望ましくは、繊維強化プラスチック板等）として作製することが推奨される。
【００３８】
図１０には、本発明に係るウォーターフェンスのもう一つの実施例についての図２と同様の断面図が示されている。
図１〜図３に示した前記実施例においては、前記脚部２６を地上へ固定させる固定手段として、脚部２６の下端に設けた接地固定部２６ｂを、打込み杭２７によって地面に固定するように構成したが、設置すべき地面がアスファルトやコンクリート等により舗装された路面であると、打込み杭２７によって舗装を破損したり、打込みが困難である場合がある。これを解決するために、図１０に示した実施例においては、ガード板部２Ａの脚部５１の下端近くに係止部５１ａを設け、同様に、ガード板部２Ａに対置されるもう一方のガード板部２Ｂの脚部５２の下端近くに係止部５２ａを設け、これら両係止部間に、その最大間隔を規制する脚部保持枠６を掛け渡すよう設けてある。脚部保持枠６の両端部６ａ及び６ｂは、図示する如く上方向へ折り曲げられ、水嚢１Ａ〜１Ｄの水圧によってガード板部２Ａ及び２Ｂが外側へ移動するのを阻止するようになっている。両ガード板部２Ａ、２Ｂの脚部の下端近くの係止部５１ａ、５２ａと、脚部保持枠６の前記両端部６ａ、６ｂとは、ネジ等によって固定するようにしてもよいが、そのような固定具を用いなくとも、ガード板部２Ａ及び２Ｂには水嚢１Ａ〜１Ｄの水圧によって外側へ押し広げられる圧力が加わるため、その圧力によって両ガード板部２Ａ、２Ｂの下端部５１ａ、５２ａと、脚部保持枠６の前記両端部６ａ、６ｂとは強く圧接され、安定した設置状態が維持される。
【００３９】
尚、前記脚部保持枠６は、ガード板部２Ａ、２Ｂの前記横幅Ｗ１の全長に亘って長く設ける必要はなく、一対のガード板部２Ａ、２Ｂに対して、例えば横幅１５０ｍｍ程度の脚部保持枠６を２〜３本程度用いるようにすれば、多くの場合はそれで足りる。
また、ガード板部２Ａ、２Ｂ等を設置すべき地面、路面等は多くの場合凹凸、起伏を有するため、脚部保持枠６全体が剛体であると脚部保持枠６自体が安定して設置されず、結果的にガード板部２Ａ、２Ｂ等の安定性も損なわれ易い。そこで、脚部保持枠６の前記両端部６ａ、６ｂとこれに近い領域以外の領域については、可撓性の部材としたり、チェーンやロープ等を用いて両端部６ａ、６ｂを連結し、両ガード板部２Ａ、２Ｂの前記係止部５１ａ、５２ａが外側へズレ動くのを防止するようにすることが推奨される。
【００４０】
更にまた、図１０に示した実施例においては、ガード板部２Ａの前記保持板部の上端部５３と、ガード板部２Ａに対してその対向位置に設置される他のガード板部２Ｂの保持板部の上端部５４との間に、これら両上端部間の最大間隔を規制すると共に、ガード板部２Ａ、２Ｂの設置時にそれらが内側へ倒れ込むのを防止するため、ガード板部２Ａ、２Ｂ間の間隔を一定に保持する上部保持枠７を掛け渡すように設けることが推奨される。
即ち、上部保持枠７の両端部７ａ及び７ｂは、図示する如く下方向へ折り曲げられ、水嚢１Ａ〜１Ｄの水圧によってガード板部２Ａ及び２Ｂが外側へ押し開かれるのを阻止するようになっている。更に、上部保持枠７の両端部７ａ及び７ｂから所定距離内側には、挟持片７ｃ、７ｄがそれぞれ溶接等によって設けられ、ガード板部２Ａの上端部５３を上部保持枠７の端部７ａと挟持片７ｃとによって挟持し、ガード板部２Ｂの上端部５４を上部保持枠７の端部７ｂと挟持片７ｄとによって挟持するようにする。これにより、ガード板部２Ａ、２Ｂの設置時にこれらのガード板部が内側へ倒れ込むのが防止され、ウォーターフェンスの設置作業の効率化等が図られる。
尚、ガード板部２Ａの上端部５３と上部保持枠７の端部７ａ及び挟持片７ｃはネジ等によって固定し、同様に、ガード板部２Ｂの上端部５４と上部保持枠７の端部７ｂ及び挟持片７ｄもネジ等によって固定することが望ましい。
【００４１】
尚、前記上部保持枠７についても、ガード板部２Ａ、２Ｂの前記横幅Ｗ１の全長に亘って長く取り付ける必要はなく、一対のガード板部２Ａ、２Ｂに対して、例えば横幅１５０ｍｍ程度の上部保持枠７を例えば２〜３本程度用いるようにすれば、多くの場合はそれで足りる。
【００４２】
図１１は、本発明に係るウォーターフェンスのガード板部における連結手段の図１に示したものとは別の実施例を示しており、図１１中の（Ａ）図はその斜視図、（Ｂ）図は連結部分の水平断面図である。この図１１に示す前記連結手段２４０は、ガード板部２Ｅの保持板部２１０の右側の端部２２０から外面側へ向けて突出する軸直角断面Ｌ字型のフランジ部２４０ａと、隣接するガード板部２Ｆの端部２３０に設けた同様の軸直角断面Ｌ字型のフランジ部２４０ｇと、これらのフランジ部を挟持し固定する軸直角断面が略Ｃ字型の連結部材２４０ｂと、から構成されている。この実施例では、（Ｂ）図に示すように、軸直角断面が略Ｃ字型の前記連結部材２４０ｂの略凸字形の内部空間内に前記軸直角断面Ｌ字型のフランジ部２４０ａと２４０ｇとが抱持されるため、図１におけるボルト及びナット２４ｃ〜２４ｆのような固定具を用いることなく、フランジ部２４０ａと２４０ｂとの堅固な連結状態が達成でき、設置現場における作業効率を高め、緊急水害発生時におけるウォーターフェンスの迅速な設置作業が可能となる。
尚、図１１の実施例において、前記連結部材２４０ｂをフランジ部２４０ａ、２４０ｇにボルト等により固定しなくても、連結部材２４０ｂが抜け落ちることはない。連結部材２４０ｂの下端が、脚部の張出し部２６０ａによって阻止されるからである。
【００４３】
尚、本発明の構成は前記実施例に限定されるものではなく、例えば、前記ガード板部の大きさや脚部の形状、保持板部の湾曲の角度、連結手段の形態、等々は使用状況等に応じて変更することが可能であり、したがって、本発明はその要旨を逸脱しない範囲内における各種設計変更例を広く包摂するものである。
【産業上の利用可能性】
【００４４】
本発明は以上の如く構成したため、本発明によるときは、設置時の安定性に優れ、高く長い堰の構築が可能で、風雨等の悪条件下での設置作業も容易であり、一旦設置後であっても高さの嵩上げが可能であり、製造コストも安く済む等々、多くの利点を有するウォーターフェンスを提供し得るものである。
【符号の説明】
【００４５】
１Ａ〜１Ｈ      水嚢
２Ａ〜２Ｆ      ガード板部
２１            保持板部
２１ａ          折返し部
２２、２３      端部
２４            連結手段
２４ａ          フランジ部
２４ｂ          連結部材
２４ｃ          ボルト
２４ｄ          ナット
２４ｇ          フランジ部
２５            連結手段
２５ａ          フランジ部
２６            脚部
２６ａ          張出し部
２６ｂ          接地固定部
２７            打込み杭
２８、２９      連結手段
３Ａ、３Ｂ      ガード板部
３１            保持板部
３１ａ、３１ｂ  平面部
３１ｃ          湾曲部
３１ｄ、３１ｅ  折返し部
３２、３３      端部
３４、３５      連結手段
３４ａ、３５ａ  フランジ部
３６、３７      脚部
３６ａ、３７ａ  張出し部
３６ｂ、３７ｂ  接地固定部
４１            保持板部
４１ａ、４１ｂ  平面部
４１ｃ          湾曲部
４１ｄ、４１ｅ  折返し部
４２、４３      端部
４４、４５      連結手段
４４ａ、４５ａ  フランジ部
４６、４７      脚部
４６ａ、４７ａ  張出し部
４６ｂ、４７ｂ  接地固定部
５１、５２      脚部
５１ａ、５２ａ  係止部
５３、５４      上端部
６              脚部保持枠
６ａ、６ｂ      端部
７              上部保持枠
７ａ、７ｂ      端部
７ｃ、７ｄ      挟持片
１０１〜１０３  ウォーターフェンス
２１０          保持板部
２２０          端部
２３０          端部
２４０          連結手段
２４０ａ        フランジ部
２４０ｂ        連結部材
２４０ｇ        フランジ部
２６０ａ        張出し部
【図１】
2015148125.tif 000003
【図２】
2015148125.tif 000004
【図３】
2015148125.tif 000005
【図４】
2015148125.tif 000006
【図５】
2015148125.tif 000007
【図６】
2015148125.tif 000008
【図７】
2015148125.tif 000009
【図８】
2015148125.tif 000010
【図９】
2015148125.tif 000011
【図１０】
2015148125.tif 000012
【図１１】
2015148125.tif 000013